【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
股関節内補綴物を埋め込むための医療器具（１０；１０”）であって、
鋸刃（３０）用の少なくとも１つのガイド溝（２８；２８’；２８”）を備えた少なくとも１つの鋸テンプレート（１２；１２”）を含み、
前記鋸テンプレートが、前記鋸テンプレート（１２；１２”）を人工関節やすりのやすり体（１４）の第２連結要素（２０）に連結位置において一時的に連結するための少なくとも１つの第１連結要素（１８；１８”）を含み、
固着装置（９６）の第１固着要素（９８；９８”）が前記第１連結要素（１８；１８”）に関連し、前記連結位置における前記第１固着要素（９８；９８”）が、前記やすり体（１４）上に配置される第２固着要素（１００）に力ロック式及び／又はポジティブロック式のやり方で固着位置において係合している、
医療器具（１０；１０”）において、
前記第１固着要素（９８；９８”）及び前記第２固着要素（１００）が、協働する掛止部材（１１０、１１２）の形態に構成されること、
を特徴とする医療器具。
【請求項２】
請求項１に記載の医療器具であって、
前記鋸テンプレート（１２；１２”）が、連結体（２４；２４”）及びテンプレート体（２６；２６’；２６”）を含むこと、
前記少なくとも１つの第１連結要素（１８；１８”）が、前記連結体（２４；２４”）上に配置又は形成されること、及び
前記少なくとも１つのガイド溝（２８；２８’；２８”）が、前記テンプレート体（２６；２６’；２６”）上に配置又は形成されること、
を特徴とする医療器具。
【請求項３】
請求項２に記載の医療器具であって、前記医療器具が、前記連結体（２４；２４”）と前記テンプレート体（２６；２６’；２６”）とを連結位置において一時的に連結するための連結装置（３４；３４”）を含むこと、を特徴とする医療器具。
【請求項４】
請求項３に記載の医療器具であって、
ａ）前記連結装置（３４）が、掛止式又はスナップ式接続装置（３６）の形態に構成され、前記連結位置において互いに係合している掛止又はスナップ要素（３８、４０）を含むこと、
及び／又は
ｂ）前記連結装置（３４；３４”）が、第１連結要素（４２；４２”）及び第２連結要素（４４；４４”）を含むこと、前記第１連結要素（４２；４２”）及び第２連結要素（４４；４４”）が、一方で前記連結体（２４；２４”）上に、他方で前記テンプレート体（２６；２６’；２６”）上に配置又は形成されること、及び、前記連結位置における前記第１連結要素（４２；４２”）と前記第２連結要素（４４；４４”）とが、力ロック式及び／又はポジティブロック式のやり方で係合していること、
又は
前記連結装置（３４；３４”）が、第１連結要素（４２；４２”）及び第２連結要素（４４；４４”）を含むこと、前記第１連結要素（４２；４２”）及び第２連結要素（４４；４４”）が、一方で前記連結体（２４；２４”）上に、他方で前記テンプレート体（２６；２６’；２６”）上に配置又は形成されること、前記連結位置における前記第１連結要素（４２；４２”）と前記第２連結要素（４４；４４”）とが、力ロック式及び／又はポジティブロック式のやり方で係合していること、及び、前記第１連結要素（４２）及び第２連結要素（４４）が、前記掛止又はスナップ要素（３８、４０）を形成すること、
及び／又は
ｃ）前記連結位置における前記連結体（２４；２４”）と前記テンプレート体（２６；２６’；２６”）とが、前記連結装置（３４；３４”）により規定される回転軸（８０；８０”）の周りで互いに対して回転可能であるように互いの上に装着されること、
を特徴とする医療器具。
【請求項５】
請求項３又は４に記載の医療器具であって、
前記連結装置（３４；３４”）が、第１連結要素（４２；４２”）及び第２連結要素（４４；４４”）を含むこと、
前記第１連結要素（４２；４２”）及び第２連結要素（４４；４４”）が、一方で前記連結体（２４；２４”）上に、他方で前記テンプレート体（２６；２６’；２６”）上に配置又は形成されること、
前記連結位置における前記第１連結要素（４２；４２”）と前記第２連結要素（４４；４４”）とが、力ロック式及び／又はポジティブロック式のやり方で係合していること、
及び、
前記第１連結要素（４２；４２”）及び第２連結要素（４４；４４”）が、少なくとも１つの連結突起（４６；４６”）及び対応する連結凹部（６２；６２”）の形態に構成されること、
を特徴とする医療器具。
【請求項６】
請求項５に記載の医療器具であって、
ａ）前記少なくとも１つの連結突起（４６）が、前記テンプレート体（２６）上に弾性的に配置又は形成されること、
及び／又は
ｂ）前記少なくとも１つの連結突起（４６）が、前記回転軸の方を向いて凹状に湾曲している装着ブラケット（５０）の形態に構成されること、
及び／又は
ｃ）前記少なくとも１つの連結凹部（６２；６２”）が、前記回転軸（８０；８０”）から離れる方を向いて開放している環状溝（６４；６４”）の形態に構成されること、及び、前記連結位置における前記少なくとも１つの連結突起が、少なくとも部分的に、前記回転軸（８０；８０”）に関して周方向で前記連結凹部（６２；６２”）内へ係合すること、
を特徴とする医療器具。
【請求項７】
請求項５又は６に記載の医療器具であって、
前記連結位置における前記連結体（２４；２４”）と前記テンプレート体（２６；２６’；２６”）とが、前記連結装置（３４；３４”）により規定される回転軸（８０；８０”）の周りで互いに対して回転可能であるように互いの上に装着されること、及び
前記少なくとも１つの連結突起（４６”）が、それ自体で閉じられる又は前記回転軸（８０”）に関して周方向で少なくとも１８０°にわたって延びる連結リング（１３２”）の形態に構成されること、
を特徴とする医療器具。
【請求項８】
請求項５〜７のいずれか１項に記載の医療器具であって、
ａ）前記少なくとも１つの連結凹部（６２；６２”）が、前記回転軸（８０；８０”）から離れる方を向いて開放している環状溝（６４；６４”）の形態に構成されること、前記連結位置における前記少なくとも１つの連結突起が、少なくとも部分的に、前記回転軸（８０；８０”）に関して周方向で前記連結凹部（６２；６２”）内へ係合すること、及び、前記環状溝（６４”）が、止め輪（１２８”）により側方で区切られること、
又は
ｂ）前記少なくとも１つの連結凹部（６２；６２”）が、前記回転軸（８０；８０”）から離れる方を向いて開放している環状溝（６４；６４”）の形態に構成されること、前記連結位置における前記少なくとも１つの連結突起が、少なくとも部分的に、前記回転軸（８０；８０”）に関して周方向で前記連結凹部（６２；６２”）内へ係合すること、前記環状溝（６４”）が、止め輪（１２８”）により側方で区切られること、及び、前記止め輪（１２８”）と前記連結体（２４”）とが、力ロック式及び／又はポジティブロック式のやり方で、並びに／或いは材料接着により互いに接続されること、
を特徴とする医療器具。
【請求項９】
請求項５〜８のいずれか１項に記載の医療器具であって、
前記少なくとも１つの連結凹部（６２；６２”）が、前記回転軸（８０；８０”）から離れる方を向いて開放している環状溝（６４；６４”）の形態に構成されること、
前記連結位置における前記少なくとも１つの連結突起が、少なくとも部分的に、前記回転軸（８０；８０”）に関して周方向で前記連結凹部（６２；６２”）内へ係合すること、及び
前記第１連結要素（４２”）と前記第２連結要素（４４”）とが、前記回転軸（８０”）に関して不連続の角度位置において、互いに対して整列可能であること、
を特徴とする医療器具。
【請求項１０】
請求項５〜９のいずれか１項に記載の医療器具であって、
前記少なくとも１つの連結凹部（６２；６２”）が、前記回転軸（８０；８０”）から離れる方を向いて開放している環状溝（６４；６４”）の形態に構成されること、
前記連結位置における前記少なくとも１つの連結突起が、少なくとも部分的に、前記回転軸（８０；８０”）に関して周方向で前記連結凹部（６２；６２”）内へ係合すること、及び
前記医療器具が、前記回転軸（８０”）に関する前記連結体（２４”）と前記テンプレート体（２６”）の互いに対する角度位置を調節するための角度調節装置（１３６”）を含むこと、
を特徴とする医療器具。
【請求項１１】
請求項１０に記載の医療器具であって、
ａ）前記角度調節装置（１３６”）が、複数の第１角度調節部材（１３８”）及び少なくとも１つの第２角度調節部材（１４０”）を含むこと、及び、前記少なくとも１つの第２角度調節部材（１４０”）が、異なる角度位置において、異なる第１角度調節部材（１３８”）に係合していること、
又は
ｂ）前記角度調節装置（１３６”）が、複数の第１角度調節部材（１３８”）及び少なくとも１つの第２角度調節部材（１４０”）を含むこと、前記少なくとも１つの第２角度調節部材（１４０”）が、異なる角度位置において、異なる第１角度調節部材（１３８”）に係合していること、前記複数の第１角度調節部材（１３８”）が、角度部材凹部（１４２”）の形態に構成されること、及び、前記少なくとも１つの第２角度調節部材（１４０”）が、角度部材突起（１４４”）の形態に構成されること、
又は
ｃ）前記角度調節装置（１３６”）が、複数の第１角度調節部材（１３８”）及び少なくとも１つの第２角度調節部材（１４０”）を含むこと、前記少なくとも１つの第２角度調節部材（１４０”）が、異なる角度位置において、異なる第１角度調節部材（１３８”）に係合していること、前記複数の第１角度調節部材（１３８”）が、角度部材凹部（１４２”）の形態に構成されること、及び、前記少なくとも１つの第２角度調節部材（１４０”）が、角度部材突起（１４４”）の形態に構成されること、並びに
ｃ１）前記角度部材凹部（１４２”）が、前記第１連結要素（４２”）又は第２連結要素（４４”）上に配置又は形成され、前記回転軸（８０”）への方向又は前記回転軸（８０”）から離れる方向を向いて配置又は形成されること、
及び／又は
ｃ２）前記少なくとも１つの角度部材突起（１４４”）が、弾性的に装着されており、前記第１連結要素（４２”）と第２連結要素（４４”）とを前記回転軸（８０”）の周りで互いに対して回転することにより前記角度位置を変化させる際、前記角度部材凹部（１４２”）のうちの１つから付勢力に逆らって移動し、前記付勢力の結果として、別の角度位置において前記角度部材凹部（１４２”）のうちの１つへと戻るように移動すること、
を特徴とする医療器具。
【請求項１２】
請求項１〜１１のいずれか１項に記載の医療器具であって、
前記連結体（２４；２４”）が、把持領域（５６；５６”）を規定し、特に、前記連結位置における前記連結体（２４；２４”）と前記テンプレート体（２６；２６’；２６”）とが、前記連結装置（３４；３４”）により規定される回転軸（８０；８０”）の周りで互いに対して回転可能であるように互いの上に装着されること、並びに
ａ）前記把持領域（５６、５６”）が、前記回転軸（８０；８０”）に関して対称に、特に回転対称に形成されること、
及び／又は
ｂ）請求項７〜２０のいずれか１項に記載の医療器具であって、前記少なくとも１つのガイド溝（２８；２８”）が、前記回転軸（８０；８０”）に対して交差方向に、特に垂直に走る誘導平面（３２）を規定すること、
を特徴とする医療器具。
【請求項１３】
請求項１〜１２のいずれか１項に記載の医療器具であって、
ａ）前記医療器具が人工関節やすりのやすり体（１４）を含み、該やすり体（１４）が、前記第１連結要素（１８；１８”）及び前記第２連結要素（２０）を含む連結装置（２２）の前記第２連結要素（２０）を含むこと、
又は
前記医療器具が人工関節やすりのやすり体（１４）を含み、該やすり体（１４）が、前記第１連結要素（１８；１８”）及び前記第２連結要素（２０）を含む連結装置（２２）の前記第２連結要素（２０）を含むこと、前記第１連結要素（１８；１８”）と前記第２連結要素（２０）とが、前記連結位置において、力ロック式及び／又はポジティブロック式のやり方で互いに係合していること、及び、前記第１連結要素（１８；１８”）と前記第２連結要素（２０）とが、洗浄位置において互いから完全に分離されること、
及び／又は
ｂ）前記第１連結要素（１８；１８”）が、連結要素受け（８２；８２”）の形態に構成されること、
又は
前記第１連結要素（１８；１８”）が、連結要素受け（８２；８２”）の形態に構成されること、及び、前記第２連結要素（２０）が、前記連結要素受け（８２；８２”）に対応する連結突起（８６）の形態に構成されること、
を特徴とする医療器具。
【請求項１４】
請求項１３に記載の医療器具であって、
ａ）前記連結装置（２２）が、特に前記第１連結要素（１８；１８”）及び／又は第２連結要素（２０）により規定される連結長手方向軸（４８；４８”）を規定すること、
又は
前記連結装置（２２）が、特に前記第１連結要素（１８；１８”）及び／又は第２連結要素（２０）により規定される連結長手方向軸（４８；４８”）を規定すること、及び、前記連結長手方向軸（４８；４８”）が、前記回転軸（８０；８０”）と平行に又は略平行に走ること、及び／又は、前記回転軸（８０；８０”）が、前記連結長手方向軸（４８；４８”）を規定すること、
及び／又は
ｂ）前記第１連結要素（１８；１８”）と前記第２連結要素（２０）とが、前記連結位置において互いに回転不能に連結されること、
又は
前記第１連結要素（１８；１８”）と前記第２連結要素（２０）とが、前記連結位置において互いに回転不能に連結されること、前記２つの掛止部材（１１０、１１２；１１０”、１１２’）のうちの一方が、掛止突起（１０８；１０８”）の形態に構成されること、及び、前記２つの掛止部材（１１０、１１２；１１０”、１１２’）のうちの他方が、対応する掛止凹部（１０２）の形態に構成されること、
又は
前記第１連結要素（１８；１８”）と前記第２連結要素（２０）とが、前記連結位置において互いに回転不能に連結されること、前記２つの掛止部材（１１０、１１２；１１０”、１１２’）のうちの一方が、掛止突起（１０８；１０８”）の形態に構成されること、及び、前記２つの掛止部材（１１０、１１２；１１０”、１１２’）のうちの他方が、対応する掛止凹部（１０２）の形態に構成されること、及び、前記掛止突起（１０８；１０８”）が、前記第１連結要素（１８；１８”）と前記第２連結要素（２０）とを係合させる際にベース位置から偏向位置へと偏向され、前記連結装置（２２）が前記連結位置を採用する際にのみ前記偏向位置から前記掛止凹部（１０２）内へ係合して前記固着装置（９６）が前記固着位置を採用することができるような仕方で、該掛止突起（１０８；１０８”）が構成されること、
を特徴とする医療器具。
【請求項１５】
請求項１〜１４のいずれか１項に記載の医療器具であって、
ａ）前記２つの固着要素（９８、１００；９８”）のうちの一方が、前記第１連結要素（１８；１８”）上に配置又は形成されること、及び、前記２つの固着要素（９８、１００；９８”）のうちの他方が、前記第２連結要素（２０）上に配置又は形成されること、
及び／又は
ｂ）前記鋸テンプレート（１２；１２”）が、２つ、３つ、４つ、又はそれ以上のガイド溝（２８；２８”）を含み、前記ガイド溝（２８；２８”）が、互いと平行に配置又は形成されること、
を特徴とする医療器具。